(57)【要約】【課題】  着脱が容易であって、しかも、耳たぶの厚みが違っても適度な締め付け力で耳たぶに止めることができるイヤリングの止め具を提供することである。【解決手段】  回転軸３を介して第１部材１と第２部材２とを回動自在に連結し、これら第１部材１と第２部材２との先端間で耳たぶを挟持するイヤリングの止め具において、上記第１部材１は、間隔を保って対向する弾性部５ａ，５ａを備え、第２部材２には、上記対向する弾性部５ａ，５ａ間に位置して上記回転軸３に支持された回動部２ｂと、この回動部２ｂに設けるとともに上記弾性部５ａの弾性力が作用する凸部６とを備え、上記凸部６に作用する弾性部５ａの弾性力で第１、第２部材の相対回動位置を保持する構成にした。【選択図】  図２
2012034833.tif 000002
【特許請求の範囲】
【請求項１】
回転軸を介して第１部材と第２部材とを回動自在に連結し、これら第１部材と第２部材との先端間で耳たぶを挟持するイヤリングの止め具において、上記第１部材は、間隔を保って対向する弾性部を備え、第２部材には、上記対向する弾性部間に位置して上記回転軸に支持された回動部と、この回動部に設けるとともに上記弾性部の弾性力が作用する凸部とを備え、上記凸部に作用する弾性部の弾性力で第１、第２部材の相対回動位置を保持する構成にしたイヤリングの止め具。
【請求項２】
上記第１部材は、本体と上記弾性部を構成するバネ部材とからなる請求項１に記載のイヤリングの止め具。
【請求項３】
上記凸部を、第２部材に回転可能に設けたボール部材で構成した請求項１または２に記載のイヤリングの止め具。
【発明の詳細な説明】
【技術分野】
【０００１】
この発明は、イヤリングの止め具に関するものである。
【背景技術】
【０００２】
従来から、スクリューを回転させることによって、耳たぶを挟む止め具があるが、このような止め具は、イヤリングの装着時にスクリューの移動量が大きいので、スクリューを回す手間と時間がかかる。特に、イヤリングの止め具のスクリューは摘み部も小さいので、それをつまんで回す作業は難しい。
これに対し、バネ部材によって耳たぶを挟む方向の弾性力を作用させて、イヤリングを止める止め具があった。
【０００３】
このようなバネ部材の弾性力を利用した止め具は、回動自在に連結した一対の部材を備え、両部材間に耳たぶを挿入したとき、上記一対の部材が近づく方向の弾性力が作用するようにしたものである。
そのため、止め具を構成する一対の部材を広げて耳たぶを挿入すれば、バネ部材の弾性力によって上記一対の部材が耳たぶを挟むので、スクリューを何回も回転させなくてもイヤリングを止めることができる。
【先行技術文献】
【特許文献】
【０００４】
【特許文献１】特開平０５−１３０９０９号公報
【特許文献２】特開平０９−１７３１１２号公報
【特許文献３】特開平１１−００９３１３号公報
【特許文献４】特開２０００−１３９５２４号公報
【発明の概要】
【発明が解決しようとする課題】
【０００５】
上記した弾性力によって耳たぶを挟む従来の止め具では、弾性力が耳たぶを締め付ける方向に作用するが、この弾性力をユーザーが調整することはほとんどできなかった。一方、耳たぶの厚みには、人によって様々である。
そのため、同じバネを用いた止め具であっても、耳たぶが厚い人には強く締め付けられて痛いものとなり、耳たぶが薄い人には締め付け力が不足してイヤリングが簡単に外れ、落としてしまうという問題があった。
この発明の目的は、着脱が容易であって、しかも、耳たぶの厚みが違っても適度な締め付け力で耳たぶに止めることができるイヤリングの止め具を提供することである。
【課題を解決するための手段】
【０００６】
第１の発明は、回転軸を介して第１部材と第２部材とを回動自在に連結し、これら第１部材と第２部材との先端間で耳たぶを挟持するイヤリングの止め具において、上記第１部材は、間隔を保って対向する弾性部を備え、第２部材には、上記対向する弾性部間に位置して上記回転軸に支持された回動部と、この回動部に設けるとともに上記弾性部の弾性力が作用する凸部とを備え、上記凸部に作用する弾性部の弾性力で第１、第２部材の相対回動位置を保持する構成にしたことを特徴とする。
【０００７】
第２の発明は、上記第１部材が本体と上記弾性部を構成するバネ部材とからなることを特徴とする。
第３の発明は、上記凸部を、第２部材に回転可能に設けたボール部材で構成したことを特徴とする。
【発明の効果】
【０００８】
第１〜第３の発明によれば、スクリューだけで耳たぶを挟持する止め具のように、スクリューを何回転もさせる必要がないので、着脱が容易である。
また、弾性力によって耳たぶを締め付けるのではなく、第１部材側の弾性部の弾性力によって、第２部材の回動位置を任意の位置に保ち、第１、第２部材の間隔を保持することができる。
そのため、耳たぶの厚みが違っても、その厚みに応じた間隔を維持して、耳たぶの弾性に基づく適度な締め付け力でイヤリングを保持することができる。
従って、耳たぶが厚い人は、締め付け力が強くなりすぎて耳たぶが痛くなるようなことがないし、耳たぶが薄い人も適度な締め付け力でイヤリングを止めることができる。
【０００９】
第２の発明では、第１部材の弾性部を、本体とは別部材のバネ部材で構成するようにしたので、本体の材質は、弾性を発揮する材質に限られることがない。そのため、本体を弾性力があまり発揮されない貴金属で構成することができる。本体を貴金属で構成すれば、装飾性が向上するだけでなく、バネ部材をニッケル鋼材などで形成しても、ユーザーの皮膚に接触する部分を貴金属で形成して金属アレルギーを引き起こす可能性を排除することもできる。
【００１０】
第３の発明は、第２部材の凸部を回転可能なボールで形成しているので、第１部材に対して第２部材が回動するとき、弾性部に対し、ボールが回転するので、回動部の移動がスムーズになる。その結果、第１部材と第２部材との相対回動部がスムーズになる。
また、弾性部に対するボールの摺動面が移動し、凸部の同一面のみが摺動する場合と比べて凸部表面の磨耗を少なくすることができる。つまり、部品の耐久性を上げることができる。
【図面の簡単な説明】
【００１１】
【図１】図１は、この発明の実施形態を示した斜視図である。
【図２】図２は、実施形態の側面図である。
【図３】図３は、図２のIII-III線断面図である。
【図４】図４は、図２のIV-IV線断面図である。
【発明を実施するための形態】
【００１２】
図１〜図４にこの発明の実施形態を示す。
なお、図３及び図４は、図２の断面図であるが、各部材の構造を分かり易くするために隙間を大きく表わし、形状も単純化している。従って、これら図３及び図４は、実際の形状や寸法関係を正確に表わした図ではない。
【００１３】
この実施形態のイヤリングの止め具は、第１部材１と第２部材２とを、回転軸３によって相対回動自在に連結したものである。
上記第１部材１は、やや湾曲した樋状部４ａと、その先端に設けた耳当て部４ｂと、基端側に設け、間隔を保って対向する一対の連結部４ｃ，４ｃとからなる本体４と、本体４の内側に設けたバネ部材５とを備えている。
【００１４】
上記バネ部材５は、断面をＵ字状にした板バネで、本体４の内側に配置したとき、上記樋状部４ａから連結部４ｃ、４ｃに連続し、本体４に沿う形状を有するとともに、上記連結部４ｃ側において他の部分よりも幅を広くしたこの発明の一対の弾性部５ａ，５ａを備えている。この弾性部５ａ，５ａは、第２部材２の回動を阻害しないように間隔を保って対向している。
このようなバネ部材５を本体４の内側に設け、上記樋状部４ａに設けた複数のかしめ部４ｄによって本体４と一体化している。
【００１５】
一方、第２部材２は略Ｊ字状の棒状部材であるが、先端に耳当て部２ａを設けるとともに、上記耳当て部２ａとは反対の基端側には板状の回動部２ｂを備えている。
そして、この回動部２ｂには、ボール６を回転可能にして取り付けている。上記ボール６は、その一部を回動部２ｂの両面に突出させて、この発明の凸部を構成している。
【００１６】
上記のような第２部材２の回動部２ｂを、第１部材１の弾性部５ａ，５ａ間に挿入し、上記回転軸３によって第１部材１に回動自在に連結する。このように、第１部材１と第２部材２とが連結されたとき、上記回動部２ｂのボール６には、上記一対の弾性部５ａ，５ａの弾性力が作用する。このように、ボール６に両側から作用する弾性力がある程度大きければ、ボール６は強く締め付けられてその位置を保つことができる。
【００１７】
また、上記弾性力に基づいた挟持力に抗して、第１、第２部材１，２を相対的に回動させれば、第１部材１に対する第２部材２の位置を任意の位置に変更することができる。
従って、この実施形態のイヤリングの止め具は、耳当て部４ｂと耳当て部２ａとの間隔を任意に変更し、その間隔を維持することができる。
すなわち、この実施形態の止め具は、上記耳当て部４ｂ及び２ａとの間隔を任意に調整でき、その間隔において耳たぶの弾性に基づく適度な締め付け力でイヤリングを保持することができる。
【００１８】
そして、上記バネ部材５は、その弾性力で上記ボール６を締め付けて第２部材２の位置を保持するのであって、上記弾性力が耳たぶを締め付ける方向に作用するわけではない。そのため、従来の弾性力を利用したイヤリングの止め具のように、耳たぶの厚みによってその締め付け力が変化するようなことがない。
言い換えれば、耳たぶが厚くても締め付け力が強くなり過ぎて耳が痛くなることがないし、耳たぶが薄くても締め付け力が弱くなってイヤリングが脱落してしまうことがない。
【００１９】
なお、この実施形態の止め部は、通常、第２部材２にイヤリングの装飾体を取り付けるとともに、第１部材１を耳の裏側に、第２部材２を耳たぶの前面に接触させて用いるようにする。但し、前後を反対に用いてもかまわない。
【００２０】
また、第２部材２を第１部材１に対して回動させると、回動部２ｂに設けたボール６も上記回転軸３を中心に回動するが、このときボール６が弾性部５ａから外れてしまうことがある。
例えば、第２部材２を図２の矢印Ａ方向に回動させると、ボール６も矢印Ａ方向に回動し、その回動量が大きくなると、弾性部５ａから外れてしまうことがあり、そうなると弾性部５ａの弾性力がボール６に作用しなくなるため、第２部材２の位置を保持できなくなる。
【００２１】
従って、少なくとも、上記両耳当て部４ｂ，２ａの間隔が、通常の耳たぶの厚みに相当する範囲では、弾性部５ａ，５ａの弾性力がボール６に対して常に作用するように、上記ボール６の回動軌跡と弾性部５ａの形状を調整する必要がある。
一方、耳たぶの厚みに相当する範囲から外れたところでは、第１部材１に対して第２部材２の位置が保持されなくてもかまわない。但し、両部材間を大きく広げて耳に取り付ける際に、一方の部材がふらふらしていたのでは、取り付け難い場合がある。その場合には、ボール６の全回動範囲において、弾性部５ａ，５ａの弾性力が作用するようにすればよい。
【００２２】
また、上記実施形態では、第１部材１を本体４とバネ部材５とによって構成しているが、本体４とバネ部材５とを一体的にして第１部材１を構成してもよい。その場合には、部品点数を減らすことができる。
但し、上記実施形態のように別部材とすれば、本体４とバネ部材５とを異なる材質で形成することができる。例えば、本体４を弾性力が発揮されない貴金属で構成することができる。本体４を貴金属で構成すれば、装飾性が向上するだけでなく、耳当て部４ｂなど、耳たぶに接触する部分が貴金属で構成でき、金属アレルギーを引き起こす可能性を低くできる。
例えば、ニッケルは、アレルギーを起こし易いが、バネ部材をニッケル鋼材で形成して十分な弾性力を実現しながら、表面を貴金属にすることもできる。
【００２３】
さらに、この実施形態では、上記ボール６によってこの発明の凸部を構成しているが、上記凸部はボールに限らない。回動部２ｂから突出し、上記弾性部５ａ，５ａの弾性力を強く受ける部分があればよい。
但し、上記凸部を回転可能なボールで構成すれば、第１部材１に対して第２部材２が回動するとき、弾性部５ａに対し、ボール６が回転するので、回動部２ｂの移動がスムーズになる。その結果、第１部材１と第２部材２との相対回動部がスムーズになる。
また、弾性部５ａに対するボール６の摺動面が移動するので、凸部の同一面のみが摺動する場合と比べて凸部表面の磨耗を少なくすることができる。結果として部品の耐久性が向上する。
【００２４】
さらに、上記実施形態では、耳たぶを挟持する方向の弾性力が作用しない構成にしているが、第１部材１と第２部材２とを近づける方向の弱い弾性力を発揮する弾性部材を設けて、耳たぶの挟持力を補助するようにしてもよい。ただし、上記弾性力は、補助的に機能するものであって、その弾性力によって耳たぶが痛くなるほど強く締め付けるものではない。
さらにまた、上記第１部材１の耳当て部４ｂに替えて、耳当て部を有するスクリューを取り付け、このスクリューを回転させて耳たぶに対する挟持力を調整するようにしてもよい。
【符号の説明】
【００２５】
１      第１部材
２      第２部材
２ｂ    回動部
３      回転軸
４      本体
５      バネ部材
５ａ    弾性部
６      ボール
【図１】
2012034833.tif 000003
【図２】
2012034833.tif 000004
【図３】
2012034833.tif 000005
【図４】
2012034833.tif 000006